(57)【要約】【課題】本考案は、正常な電力供給の状態では、操作者が有線スイッチ或いは無線スイッチを用いて照明器具の発光を制御することができるとともに、停電時には、電力の出力を保持し、照明器具の稼働を維持することができる無停電電源装置を提供する。【解決手段】少なくとも一つの駆動連結モジュールからなる。前記駆動連結モジュールは、充電ユニットと、前記充電ユニットに連結されて作動する電源供給ユニットと、前記電源供給ユニットを駆動する駆動ユニットと、制御部材と、前記駆動ユニットと一緒に作動する電力検知ユニットとを備える。前記駆動連結モジュールは、電力供給線に無線連結され、前記駆動連結モジュールと前記電力供給線の間には、導通スイッチが設けられ、前記駆動連結モジュールは照明器具に連結される。【選択図】図１
0003178616.tif 000002
【実用新案登録請求の範囲】
【請求項１】
少なくとも一つの駆動連結モジュールと、充電ユニットと、前記充電ユニットに連結されて作動する電源供給ユニットと、前記電源供給ユニットを駆動させるための駆動ユニットと、制御部材と、前記駆動ユニットと一緒に作動する電力検知ユニットとからなる無停電電源装置であって、
前記充電ユニットと、前記電源供給ユニットと、前記駆動ユニットと、前記制御部と、前記電力検知ユニットは、いずれも、前記駆動連結モジュール内に設けられることを特徴とする無停電電源装置。
【請求項２】
前記駆動連結モジュールは、電力供給線に無線接続されるとともに、照明器具に連結され、前記駆動連結モジュールと前記電力供給線の間には、導通スイッチが設けられ、前記照明器具は、少なくとも一つの発光素子を備え、
前記駆動連結モジュールは、前記照明器具を作動させるための緊急電力供給機能を備え、前記制御部材は、有線スイッチ、或いは、無線スイッチの内の一つであり、前記有線スイッチは、機械式の制御スイッチであり、前記無線スイッチは、リモートコントロール式の制御スイッチであり、前記発光素子は、ハロゲンランプ、白熱灯、蛍光灯、或いは、発光ダイオード（Ｌｉｇｈｔ  Ｅｍｉｔｔｉｎｇ  Ｄｉｏｄｅ，ＬＥＤ）の内の一つであり、前記照明器具は、電球、蛍光灯、或いは、嵌め込み式照明の内の一つであることを特徴とする、請求項１に記載の無停電電源装置。
【考案の詳細な説明】
【技術分野】
【０００１】
本考案は無停電電源装置に関し、特に電圧が正常状態の時には有線スイッチ或いは無線スイッチを介して照明器具の作動を制御することができるとともに、元からある緊急電源供給機能を維持することができる無停電電源装置に関する。
【背景技術】
【０００２】
現在、市場で出回っている緊急照明機器は、その多くが、非常出口と各通路の角に使用されている。この緊急照明機器は、正常電力が中断された時に、そのまま一定の明るさの照明効果を維持して正確な避難経路を提供することができるようにするために設置されている。近年、家での生活の質が向上するにつれ、建築物の設計は、快適さだけでなく、安全性も強く求められている。
【０００３】
しかしながら、この種の緊急照明機器内には、交流、直流電源自動切り換え装置が設けられており、通常は、交流電源を、相当する直流電源に変換し、バックアップ電池に対して自動的に充電を行う。電力量が満タンの時は、自動的に充電を停止し、停電した時は、バックアップ回路に自動的に切り替えられ、バックアップ電源により電力を供給して緊急照明として使用することができる。
【考案の概要】
【考案が解決しようとする課題】
【０００４】
そこで、本考案は、正常な電力供給の状態では、操作者が有線スイッチ或いは無線スイッチを用いて照明器具の発光を制御することができるとともに、停電時には、電力の出力を保持し、照明器具の稼働を維持することができる無停電電源装置を提供することを目的とする。
【課題を解決するための手段】
【０００５】
上述の目的を達成するために、本考案による無停電電源装置は、主に、少なくとも一つの駆動連結モジュールからなる。前記駆動連結モジュールは、充電ユニットと、前記充電ユニットに連結されて作動する電源供給ユニットと、前記電源供給ユニットを駆動する駆動ユニットと、制御部材と、前記駆動ユニットと一緒に作動する電力検知ユニットとを備える。前記駆動連結モジュールは、電力供給線に無線連結され、前記駆動連結モジュールと前記電力供給線の間には、導通スイッチが設けられ、前記駆動連結モジュールは照明器具に連結される。
【考案の効果】
【０００６】
本考案は、駆動連結モジュールが電力供給線に連結され、電力供給線の電圧状態を感知する。電圧が正常の時は、電力供給線の電力供給が正常であることを意味し、この時、操作者は有線スイッチ或いは無線スイッチを介して照明器具の発光を制御することができる。電圧状態が異常である時は、駆動連結モジュール内に設けられた電力検知ユニットが、異常電力信号を検知する。それにより、停電したと同時に電力の出力を保持し、照明器具の可動を維持することができる。このように、電力を有線で検知し、照明器具を無線制御できるという実用進歩性を有する。
【図面の簡単な説明】
【０００７】
【図１】本考案の好ましい実施例のブロック図である。
【図２】本考案の好ましい実施例の実施図１である。
【図３】本考案の好ましい実施例の実施図２である。
【図４】本考案の好ましい実施例の実施図３である。
【図５】本考案の好ましい実施例の実施図４である。
【考案を実施するための形態】
【０００８】
本考案を理解できるよう、その特徴と機能について以下に詳細な説明を行う。
【０００９】
図１を参照する。図１は、本考案の好ましい実施例のブロック図である。図から分かるように、本考案による無停電電源装置は、少なくとも一つの駆動連結モジュール１と、充電ユニット１０と、充電ユニット１０に連結されて作動する電源供給ユニット１１と、電源供給ユニット１１を駆動するための駆動ユニット１２と、制御部材１３と、駆動ユニット１２と一緒に作動する電力検知ユニット１４と、からなる。充電ユニット１０と、電源供給ユニット１１と、駆動ユニット１２と、制御部材１３と、電力検知ユニット１４は、いずれも、駆動連結モジュール１内に設けられる。なお、制御部材１３は、有線スイッチ、或いは、無線スイッチの内の一つであり、前記有線スイッチは、機械式の制御スイッチであり、前記無線スイッチは、リモートコントロール式の制御スイッチである。
【００１０】
上述した駆動連結モジュール１は、電力供給線２に無線接続される。駆動連結モジュール１と電力供給線２の間には、導通スイッチ３が設けられ、駆動連結モジュール１は、照明器具４に連結されて作動する。照明器具４は、少なくとも一つの発光素子４１を備える。発光素子４１は、ハロゲンランプ、或いは、白熱灯、或いは、蛍光灯、或いは、発光ダイオード（Ｌｉｇｈｔ  Ｅｍｉｔｔｉｎｇ  Ｄｉｏｄｅ，ＬＥＤ）の内の一つである。照明器具４は、電球、或いは、蛍光灯、或いは、嵌め込み式照明の内の一つである。
【００１１】
上述の構造と設計による本考案の使用作動状況について、以下に説明を行う。図１から図５を参照する。図１から図５は、本考案の好ましい実施例のブロック図と実施図１から４である。図から分かるように、本考案が作動する時、導通スイッチ３はいずれも導通状態である。駆動連結モジュール１は、電力検知ユニット１４を介して電力供給線２の電力の信号状態を検知する。電力供給線２の電圧が正常の時、それは、電力供給線２の電力供給が正常であることを意味する。この時、電力検知ユニット１４は、異常信号を発しないため、駆動ユニット１２は作動せず、電力異常信号を発しない。このため、駆動連結モジュール１は、緊急電力供給機能を稼働させない。この時、操作者は、制御部材１３を介して、一端が照明器具４に連結された発光素子４１（例えば、電球、蛍光灯、或いは嵌め込み式照明）を発光させることができる。なお、この制御部材１３は、有線スイッチ、或いは、無線スイッチであり、有線スイッチは、機械式の制御スイッチであり、無線スイッチは、リモートコントロール式の制御スイッチである。また、それと同時に、充電ユニット１０が駆動され、充電ユニット１０によって、電源供給ユニット１１内部の電力を増やす或いは維持することができる。
【００１２】
反対に、駆動連結モジュール１が、電力検知ユニット１４を介して、電力供給線２の電圧の異常状態或いは電力が供給されていない状態を検知した時は、電力供給線２は正常に電力が供給できていないため、駆動ユニット１２が電源供給ユニット１１を駆動する。そして、電源供給ユニット１１内に貯蔵された電力によって、照明器具４（例えば、電球、蛍光灯、或いは嵌め込み式照明）に対して緊急の電力供給を行って作動を維持させることができる。
【００１３】
全ての図を参照する。本考案を使用すると、従来の技術と比較して、以下の利点が存在する。
【００１４】
１、信号の受信漏れが生じることにより、照明器具４が誤作動をおこす確率を大幅に減らすことができる。
【００１５】
２、元からある電気供給システムを維持すると同時に、無停電電源システムを達成することができる。
【００１６】
３、元からある電力供給線２を維持すると同時に、無停電電源システムを備えさせることができる。
【００１７】
４、同時に複数の照明器具４に対して無線及び有線の制御を行って作動させることができ、停電の時には、各駆動連結モジュール１に通知して各照明器具４を作動させることができる。
【符号の説明】
【００１８】
１      駆動連結モジュール
１０    充電ユニット
１１    電源供給ユニット
１２    駆動ユニット
１３    制御部材
１４    電力検知ユニット
２      電力供給線
３      導通スイッチ
４      照明器具
４１    発光素子
【図１】
0003178616.tif 000003
【図２】
0003178616.tif 000004
【図３】
0003178616.tif 000005
【図４】
0003178616.tif 000006
【図５】
0003178616.tif 000007